(57)【要約】      （修正有）【課題】清浄装置の方向と角度を調節でき、制御性を向上できる壁掛け式クリーンルーム用空気清浄装置を提供する。【解決手段】固定フレーム１の一端に上片持ちアーム２が接続され、上片持ちアームの内部に液圧伸縮ロッド３が接続され、液圧伸縮ロッドの一端に接続台４が接続され、接続台の一端にホルダ５が回動可能に接続され、ホルダの底部に下片持ちアーム６が回動可能に接続され、下片持ちアームの一端と固定フレームとが接続され、ホルダの一端に清浄箱７が接続され、清浄箱の内部に回動軸が接続され、回動軸の中部にバッフル９が取付され、回動軸の一端に回転盤が接続され、回転盤の内部に固定ばねが接続され、固定ばねの一端に調節係合子１２が接続され、調節係合子の一端に止めロッドが接続され、調節係合子の他端に取手１４が接続されている。液圧伸縮ロッドをコントロールすることで、清浄箱を回動駆動する。【選択図】図１
0003229712.tif 000002
【実用新案登録請求の範囲】
【請求項１】
固定フレーム１を含む壁掛け式クリーンルーム用空気清浄装置であって、前記固定フレー
ム１の一端に上片持ちアーム２が固定接続され、前記上片持ちアーム２の内部に液圧伸縮
ロッド３が固定接続され、前記液圧伸縮ロッド３の一端に接続台４が固定接続され、前記
接続台４の一端にホルダ５が回動可能に接続され、前記ホルダ５の底部に下片持ちアーム
６が回動可能に接続され、前記下片持ちアーム６の一端と固定フレーム１とが固定接続さ
れ、前記ホルダ５の一端に清浄箱７が固定接続されており、
前記清浄箱７の内部に回動軸８が回動可能に接続され、前記回動軸８の中部にバッフル９
が固定取付され、前記回動軸８の一端に回転盤１０が固定接続され、前記回転盤１０の内
部に固定ばね１１が固定接続され、前記固定ばね１１の一端に調節係合子１２が固定接続
され、前記調節係合子１２の一端に止めロッド１３が固定接続され、前記調節係合子１２
の他端に取手１４が固定接続されている、ことを特徴とする壁掛け式クリーンルーム用空
気清浄装置。
【請求項２】
前記固定フレーム１の頂端に上片持ちアーム２に係合する固定溝が開設され、前記固定フ
レーム１の底端に下片持ちアーム６に係合する溝口が開設されていることを特徴とする請
求項１に記載の壁掛け式クリーンルーム用空気清浄装置。
【請求項３】
前記上片持ちアーム２の一端に液圧伸縮ロッド３に係合する固定溝が開設され、前記下片
持ちアーム６の一端にホルダ５に係合する溝孔が開設されていることを特徴とする請求項
１に記載の壁掛け式クリーンルーム用空気清浄装置。
【請求項４】
前記接続台４の一端に液圧伸縮ロッド３に係合する固定溝が開設され、前記接続台４の他
端にホルダ５に係合する溝孔が開設されていることを特徴とする請求項１に記載の壁掛け
式クリーンルーム用空気清浄装置。
【請求項５】
前記ホルダ５の一端に接続台４および下片持ちアーム６に係合する凸台が設置され、前記
ホルダ５の凸台の内部に回転軸が設置され、前記ホルダ５の他端に清浄箱７に係合する固
定溝が開設されていることを特徴とする請求項１に記載の壁掛け式クリーンルーム用空気
清浄装置。
【請求項６】
前記清浄箱７の内部にバッフル９に係合する凹溝が開設され、前記清浄箱７の凹溝の中部
に回動軸８に係合する溝孔が開設され、前記清浄箱７の一端に調節係合子１２に係合する
複数個の係合溝が開設されていることを特徴とする請求項１に記載の壁掛け式クリーンル
ーム用空気清浄装置。
【請求項７】
前記バッフル９の中部に回動軸８に係合する貫通穴が開設され、前記バッフル９と回動軸
８の間は干渉嵌合としていることを特徴とする請求項１に記載の壁掛け式クリーンルーム
用空気清浄装置。
【請求項８】
前記回転盤１０の一端に回動軸８に係合する固定溝が開設され、前記回転盤１０の他端に
止めロッド１３に係合する止め孔が開設され、前記回転盤１０の中部に固定ばね１１に係
合する溝口が開設されていることを特徴とする請求項１に記載の壁掛け式クリーンルーム
用空気清浄装置。
【考案の詳細な説明】
【技術分野】
【０００１】
本実用新案は、清浄デバイス・装置の技術分野に関するもので、特に、壁掛け式クリーン
ルーム用空気清浄装置に関する。
【従来の技術】
【０００２】
空気清浄装置は、汚染空気に対して不純物除去、浄化などの処理を行うデバイスをいう。
従来では普通の壁掛け式空気調機の室内機は一般的に単に空気調節機能だけを有する。空
気調和と空気清浄の機能を組み合わせるように、空気清浄機能を持っている壁掛け式空気
調和機が提出されている。このような空気清浄機能付の壁掛け式空気調和機は、一部の構
造を共通使用することによってコストを削減するできるとともに、空気清浄器を空気調和
機上で集積させることによってリビングスペースを節約することもできる。
【０００３】
ところが、従来の壁掛け式空気清浄装置は、以下の欠点がある。
・従来の空气清浄装置は、配置される位置が一定的であり、清浄装置の調節が不可能で、
制御可能性が低く、使用には非常に不便である。
・従来の空气清浄装置は、空气の流れ方向が一定的であり、浄化空气の流れ方向を調節で
きない。
【考案の概要】
【０００４】
上記の問題に対して、本実用新案は、壁掛け式クリーンルーム用空気清浄装置を提供す
る。
固定フレーム１を含む壁掛け式クリーンルーム用空気清浄装置であって、前記固定フレー
ム１の一端に上片持ちアーム２が固定接続され、前記上片持ちアーム２の内部に液圧伸縮
ロッド３が固定接続され、前記液圧伸縮ロッド３の一端に接続台４が固定接続され、前記
接続台４の一端にホルダ５が回動可能に接続され、前記ホルダ５の底部に下片持ちアーム
６が回動可能に接続され、前記下片持ちアーム６の一端と固定フレーム１とが固定接続さ
れ、前記ホルダ５の一端に清浄箱７が固定接続されており、前記清浄箱７の内部に回動軸
８が回動可能に接続され、前記回動軸８の中部にバッフル９が固定取付され、前記回動軸
８の一端に回転盤１０が固定接続され、前記回転盤１０の内部に固定ばね１１が固定接続
され、前記固定ばね１１の一端に調節係合子１２が固定接続され、前記調節係合子１２の
一端に止めロッド１３が固定接続され、前記調節係合子１２の他端に取手１４が固定接続
されている、ことを特徴とする壁掛け式クリーンルーム用空気清浄装置である。
好ましくは、前記固定フレーム１の頂端に上片持ちアーム２に係合する固定溝が開設さ
れ、前記固定フレーム１の底端に下片持ちアーム６に係合する溝口が開設されている。
好ましくは、前記上片持ちアーム２の一端に液圧伸縮ロッド３に係合する固定溝が開設
され、前記下片持ちアーム６の一端にホルダ５に係合する溝孔が開設されている。
好ましくは、前記接続台４の一端に液圧伸縮ロッド３に係合する固定溝が開設され、前
記接続台４の他端にホルダ５に係合する溝孔が開設されている。
好ましくは、前記ホルダ５の一端に接続台４および下片持ちアーム６に係合する凸台が
設置され、前記ホルダ５の凸台の内部に回転軸が設置され、前記ホルダ５の他端に清浄箱
７に係合する固定溝が開設されている。
好ましくは、前記清浄箱７の内部にバッフル９に係合する凹溝が開設され、前記清浄箱
７の凹溝の中部に回動軸８に係合する溝孔が開設され、前記清浄箱７の一端に調節係合子
１２に係合する複数個の係合溝が開設されている。
好ましくは、前記バッフル９の中部に回動軸８に係合する貫通穴が開設され、前記バッ
フル９と回動軸８の間は干渉嵌合としている。
好ましくは、前記回転盤１０の一端に回動軸８に係合する固定溝が開設され、前記回転
盤１０の他端に止めロッド１３に係合する止め孔が開設され、前記回転盤１０の中部に固
定ばね１１に係合する溝口が開設されている。
【０００５】
本実用新案は、以下の所長がる。
（１）該壁掛け式クリーンルーム用空気清浄装置は、液圧伸縮ロッドをコントロールする
ことで、液圧伸縮ロッドにより接続台を推移する。さらに接続台によりホルダの頂端を推
移する。これによりホルダの底部を下片持ちアームの一端に回動させる。ホルダにより清
浄箱を回動駆動する。このようにしては、清浄箱の方向も調節でき、清浄装置の清浄角度
も調節でき、よって清浄装置の制御可能性を向上することができ、清浄装置の最適化効果
に達成することができる。
【０００６】
（２）該壁掛け式クリーンルーム用空気清浄装置は、取手を引き動かせることで、取手に
より調節係合子を駆動して清浄箱と反対の方向に移動させる。これによって調節係合子と
清浄箱の間の係合を解放する。それとともに、調節係合子により固定ばねを引き延ばして
、調節係合子を回動する。これにより調節係合子で止めロッドにより回転盤を回動駆動す
る。さらに回転盤で回動軸によりバッフルを回動駆動する。これによって、バッフルの方
向も調節でき、清浄箱の浄化空気の流れ方向も調節することができる。これによって、空
气の清浄は清浄装置によって容易に実現でき、かつ清浄装置の使用も便利である。
【図面の簡単な説明】
【０００７】
【図１】本実用新案の構成模式図。
【図２】本実用新案の固定フレームの構成模式図。
【図３】本実用新案のバッフルの構成模式図。
【図４】本実用新案のバッフルの断面構成模式図。
【考案を実施するための形態】
【０００８】
以下、図面とともに、本実用新案について説明する。
図１〜４に示されるように、壁掛け式クリーンルーム用空気清浄装置は、固定フレーム１
を含み、固定フレーム１の一端に上片持ちアーム２が固定接続され、上片持ちアーム２の
内部に液圧伸縮ロッド３が固定接続され、液圧伸縮ロッド３の一端に接続台４が固定接続
され、接続台４の一端にホルダ５が回動可能に接続され、ホルダ５の底部に下片持ちアー
ム６が回動可能に接続され、下片持ちアーム６の一端と固定フレーム１とが固定接続され
、ホルダ５の一端に清浄箱７が固定接続されており、清浄箱７の内部に回動軸８が回動可
能に接続され、回動軸８の中部にバッフル９が固定取付され、回動軸８の一端に回転盤１
０が固定接続され、回転盤１０の内部に固定ばね１１が固定接続され、固定ばね１１の一
端に調節係合子１２が固定接続され、調節係合子１２の一端に止めロッド１３が固定接続
され、調節係合子１２の他端に取手１４が固定接続されており、固定フレーム１の頂端に
上片持ちアーム２に係合する固定溝が開設され、固定フレーム１の底端に下片持ちアーム
６に係合する溝口が開設されており、上片持ちアーム２の一端に液圧伸縮ロッド３に係合
する固定溝が開設され、下片持ちアーム６の一端にホルダ５に係合する溝孔が開設されて
おり、接続台４の一端に液圧伸縮ロッド３に係合する固定溝が開設され、接続台４の他端
にホルダ５に係合する溝孔が開設されており、ホルダ５の一端に接続台４および下片持ち
アーム６に係合する凸台が設置され、ホルダ５の凸台の内部に回転軸が設置され、ホルダ
５の他端に清浄箱７に係合する固定溝が開設されており、清浄箱７の内部にバッフル９に
係合する凹溝が開設され、清浄箱７の凹溝の中部に回動軸８に係合する溝孔が開設され、
清浄箱７の一端に調節係合子１２に係合する複数個の係合溝が開設されており、バッフル
９の中部に回動軸８に係合する貫通穴が開設され、バッフル９と回動軸８の間は干渉嵌合
としており、回転盤１０の一端に回動軸８に係合する固定溝が開設され、回転盤１０の他
端に止めロッド１３に係合する止め孔が開設され、回転盤１０の中部に固定ばね１１に係
合する溝口が開設されている。
【０００９】
本実用新案の清浄装置の動作原理は以下のとおりである。本壁掛け式クリーンルーム用空
気清浄装置においては、その使用に際して、使用者によって液圧伸縮ロッド３をコントロ
ールする。それで、液圧伸縮ロッド３により接続台４を推移する。さらに接続台４により
ホルダ５の頂端を推移する。これによりホルダ５の底部を下片持ちアーム６の一端に回動
させる。ホルダ５により清浄箱７を回動駆動する。このようにしては、清浄箱７の方向も
調節でき、清浄装置の清浄角度も調節でき、よって清浄装置の制御可能性を向上すること
ができ、清浄装置の最適化効果に達成することができる。また本壁掛け式クリーンルーム
用空気清浄装置においては、使用者によって取手１４を引き動かせる。それで、取手１４
により調節係合子１２を駆動して清浄箱７と反対の方向に移動させる。これによって調節
係合子１２と清浄箱７の間の係合を解放する。それとともに、調節係合子１２により固定
ばね１１を引き延ばして、調節係合子１２を回動する。これにより調節係合子１２で止め
ロッド１３により回転盤１０を回動駆動する。さらに回転盤１０で回動軸８によりバッフ
ル９を回動駆動する。これによって、バッフル９の方向も調節でき、清浄箱７の浄化空気
の流れ方向も調節することができる。これによって、空气の清浄は清浄装置によって容易
に実現でき、かつ清浄装置の使用も便利である。
【００１０】
前記述べたものは、本考案の実施形態だけであり、前記の具体のな実施形態は、普通技術
者は本考案の原理と精神の範疇内において、各種の変形及び修正、置換、変形を行うこと
ができる。本実用新案の保護範囲は、実用新案登録請求の範囲及びその均等物である。
【符号の説明】
【００１１】
１  固定フレーム
２  上片持ちアーム
３  液圧伸縮ロッド
４  接続台
５  ホルダ
６  下片持ちアーム
７  清浄箱
８  回動軸
９  バッフル
１０  回転盤
１１  固定ばね
１２  調節係合子
１３  止めロッド
１４  取手
【図１】
0003229712.tif 000003
【図２】
0003229712.tif 000004
【図３】
0003229712.tif 000005
【図４】
0003229712.tif 000006